(57)【要約】【課題】  ＧＰＳの機能が設けられていない携帯電話機のユーザが現在位置を特定する。【解決手段】  携帯電話機３のユーザにより公衆電話機１Ａから携帯電話機３へ発呼され、同公衆電話機１Ａの識別番号ａ１が通信回線２へ送信されると共に、同公衆電話機１Ａと同携帯電話機３との間で通話情報ｂの送受信が行われる。識別番号ａ１は、通信回線２から携帯電話機３へ送信される。識別番号ａ１は、携帯電話機３から電子メールで送信され、位置情報提供装置４で受信される。位置情報提供装置４では、地図データベース５が検索されて識別番号ａ１に対応する公衆電話機１Ａの位置情報が読み出される。位置情報提供装置４で読み出された位置情報として、公衆電話機１Ａの周辺の地図情報ｍが電子メールで携帯電話機３へ送信されて表示部に表示される。そして、携帯電話機３のユーザは、自分の位置を認識すると共に周辺の地図情報を取得する。【選択図】図１
2005151261.tif 000002
【特許請求の範囲】
【請求項１】
固有の識別番号がそれぞれ割り付けられ、携帯電話機へ発呼したとき、該識別番号を通信回線を介して前記携帯電話機へ知らせる複数の公衆電話機と、
任意の前記公衆電話機から着呼したとき、当該任意の公衆電話機の前記識別番号を前記通信回線を介して受信する携帯電話機と、
前記各公衆電話機に関して所定の位置情報が前記各識別番号に対応して記憶されているデータベースと、
前記データベースから前記各公衆電話機の所定の位置情報を読み出して前記携帯電話機へ提供する位置情報提供手段とを備えてなる位置情報通知システムであって、
前記携帯電話機が、前記公衆電話機の前記識別番号を受信すると、受信した該識別番号を電子メールとして前記位置情報提供手段へ送信し、前記位置情報提供手段が、前記携帯電話機から前記識別番号を電子メールとして受信すると、前記データベースから該識別番号に対応する前記公衆電話機の位置情報を読み出して該携帯電話機へ電子メールとして提供する構成とされていることを特徴とする位置情報通知システム。
【請求項２】
前記通信回線は、
前記公衆電話機から前記識別番号の送信を指令するための送信指令用番号がダイヤルされたときにのみ前記識別番号を当該の携帯電話機へ送信する構成とされていることを特徴とする請求項１記載の位置情報通知システム。
【請求項３】
前記公衆電話機の所定の位置情報は、
当該公衆電話機周りの地図情報で構成されていることを特徴とする請求項１又は２記載の位置情報通知システム。
【請求項４】
識別番号がそれぞれ割り付けられた複数の公衆電話機と、通信回線と、携帯電話機と、前記各公衆電話機に関して所定の位置情報が前記各識別番号に対応して記憶されているデータベースと、位置情報提供手段とを備えてなる位置情報通知システムに用いられ、
前記公衆電話機から前記携帯電話機へ発呼したとき、前記通信回線が当該の前記識別番号を該携帯電話機へ送信する識別番号送信処理と、
前記携帯電話機が前記通信回線を介して前記識別番号を受信する識別番号受信処理と、  前記位置情報提供手段が、前記携帯電話機から前記識別番号を電子メールとして受信し、前記データベースを検索して該識別番号に対応する前記公衆電話機の位置情報を読み出す位置情報検索処理と、
前記位置情報提供手段が、読み出した前記位置情報を前記携帯電話機へ電子メールとして送信する位置情報送信処理とを行うことを特徴とする位置情報通知方法。
【請求項５】
前記識別番号送信処理では、
前記公衆電話機から前記識別番号の送信を指令するための送信指令用番号がダイヤルされたときにのみ、前記通信回線が前記識別番号を当該の携帯電話機へ送信することを特徴とする請求項４記載の位置情報通知方法。
【請求項６】
前記位置情報送信処理では、
前記公衆電話機の所定の位置情報として、当該公衆電話機周りの地図情報を送信することを特徴とする請求項４又は５記載の位置情報通知方法。
【請求項７】
コンピュータに請求項１乃至３のうちのいずれか一に記載の位置情報通知システムを制御させるための位置情報通知制御プログラム。
【発明の詳細な説明】
【技術分野】
【０００１】
この発明は、位置情報通知システム、該システムに用いられる位置情報通知方法及び位置情報通知制御プログラムに係り、特に、携帯電話機にたとえばＧＰＳ（Global Positioning System 、汎世界測位システム）装置などの測位手段が設けられていない場合に用いて好適な位置情報通知システム、該システムに用いられる位置情報通知方法及び位置情報通知制御プログラムに関する。
【背景技術】
【０００２】
携帯電話機のユーザの現在位置を特定するために、ＧＰＳ装置などの測位手段が内蔵された携帯電話機が製作されている。この種の携帯電話機では、ＧＰＳ装置よりユーザの位置情報が検出され、検出結果が同ユーザに通知される。
【０００３】
従来、この種の技術としては、たとえば、次のような文献に記載されるものがあった。
特許文献１に記載された移動端末管理方法では、ＰＨＳ（簡易型携帯電話機）と有線電話機や位置情報利用システムとの間で情報の授受が行われ、同ＰＨＳの位置情報が地図に重畳されてクライアントに送出される。
【０００４】
特許文献２に記載された顧客管理システムでは、顧客が公衆電話機から発信している場合には、公衆電話機の管理番号が取得され、同管理番号に対応する公衆電話機の位置が公衆電話データベースを用いて検索される。また、顧客が携帯電話機から発信している場合には、携帯電話機の中継局のセル番号が取得され、同セル番号に対応する携帯電話機の位置が携帯電話データベースを用いて検索される。これらの検索位置に応じた地図が同システムに表示され、オペレータが顧客の位置を知ることができる。
【０００５】
特許文献３に記載された案内情報提供システムでは、公衆電話機の設置場所及び設置方位を含む位置情報と、公衆電話機の利用者が所持する携帯電話機の電話番号とが案内センタに通知される。案内センタでは、公衆電話機の正確な位置情報を利用して、同公衆電話機が設置された現在地から目的地までの案内情報が生成され、利用者の携帯電話機に送信される。
【０００６】
特許文献４に記載された情報検索システムでは、情報検索サーバは、検索要求可能な電話装置の電話番号又は個体識別情報のみを保持し、検索結果を同電話番号又は個体識別情報を使用して所定の管理サーバを介して当該電話装置に送信する。これにより、ユーザは、情報検索サーバに電話装置の通信用アドレス（メールアドレス）を登録することなく、検索結果が得られる。このため、情報検索サーバにてメールアドレスが不正利用されることが防止される。
【０００７】
特許文献５に記載された移動通信システムでは、移動通信端末は、目的地の公衆回線電話番号を目的地位置情報として用い、中央基地局と通信して同中央基地局の所有する位置情報データベースから目的地公衆回線電話番号に対応する地理的な目的地位置データを得る。そして、移動通信端末は、目的地位置データを検索情報として同移動通信端末が所有する地図情報データベースから利用者現在位置と同現在位置から目的地までの経路の周辺地図情報を検索し、その内容を表示する。
【特許文献１】特開２００１−０２５０６０号公報（要約、図１）
【特許文献２】特開２００２−００９９４６号公報（第１頁、図１）
【特許文献３】特開２００２−２４７２０３号公報（要約、図１）
【特許文献４】特開２００３−０５８５６５号公報（第１０頁、図１）
【特許文献５】特開平０９−２８７９６４号公報（要約、図１）
【発明の開示】
【発明が解決しようとする課題】
【０００８】
しかしながら、上記従来の携帯電話機による位置情報通知方法では、次のような問題点があった。
すなわち、従来の位置情報通知方法では、携帯電話機にＧＰＳ装置が内蔵されていることが前提になっているが、同ＧＰＳ装置が内蔵された携帯電話機は、広く普及している状態ではなく、通常の携帯電話機では、ユーザの位置情報が得られないという問題点がある。一方、公衆電話機は、近年の携帯電話機の普及に伴って利用率が減少し、台数の削減も検討され始めている。ところが、公衆電話機は、街中の要所要所に設置され、設置位置が管理されているものであるため、携帯電話機にＧＰＳ装置を内蔵するよりも、公衆電話機を利用してユーザの位置情報を得るほうが得策であると考えられる。
【０００９】
また、特許文献１に記載された移動端末管理方法は、公衆電話機を利用するものではなく、目的が異なり、上記の問題点を改善するものではない。
【００１０】
特許文献２に記載された顧客管理システムは、オペレータが顧客の位置を知るものであり、上記の問題点を改善するものではない。
【００１１】
特許文献３に記載された案内情報提供システムは、公衆電話機が設置された現在地から目的地までの案内情報を生成して利用者の携帯電話機に送信するものであるため、目的が異なり、上記の問題点を改善するものではない。
【００１２】
特許文献４に記載された情報検索システムは、メールアドレスが不正利用されることを防止ものであるため、目的が異なり、上記の問題点を改善するものではない。
【００１３】
特許文献５に記載された移動通信システムは、現在位置から目的地までの経路の周辺地図情報を検索し、その内容を表示するものであるため、目的が異なり、上記の問題点を改善するものではない。
【課題を解決するための手段】
【００１４】
上記課題を解決するために、請求項１記載の発明は、固有の識別番号がそれぞれ割り付けられ、携帯電話機へ発呼したとき、該識別番号を通信回線を介して前記携帯電話機へ知らせる複数の公衆電話機と、任意の前記公衆電話機から着呼したとき、当該任意の公衆電話機の前記識別番号を前記通信回線を介して受信する携帯電話機と、前記各公衆電話機に関して所定の位置情報が前記各識別番号に対応して記憶されているデータベースと、前記データベースから前記各公衆電話機の所定の位置情報を読み出して前記携帯電話機へ提供する位置情報提供手段とを備えてなる位置情報通知システムに係り、前記携帯電話機が、前記公衆電話機の前記識別番号を受信すると、受信した該識別番号を電子メールとして前記位置情報提供手段へ送信し、前記位置情報提供手段が、前記携帯電話機から前記識別番号を電子メールとして受信すると、前記データベースから該識別番号に対応する前記公衆電話機の位置情報を読み出して該携帯電話機へ電子メールとして提供する構成とされていることを特徴としている。
【００１５】
請求項２記載の発明は、請求項１記載の位置情報通知システムに係り、前記通信回線は、前記公衆電話機から前記識別番号の送信を指令するための送信指令用番号がダイヤルされたときにのみ前記識別番号を当該の携帯電話機へ送信する構成とされていることを特徴としている。
【００１６】
請求項３記載の発明は、請求項１又は２記載の位置情報通知システムに係り、前記公衆電話機の所定の位置情報は、当該公衆電話機周りの地図情報で構成されていることを特徴としている。
【００１７】
請求項４記載の発明は、位置情報通知方法に係り、識別番号がそれぞれ割り付けられた複数の公衆電話機と、通信回線と、携帯電話機と、前記各公衆電話機に関して所定の位置情報が前記各識別番号に対応して記憶されているデータベースと、位置情報提供手段とを備えてなる位置情報通知システムに用いられ、前記公衆電話機から前記携帯電話機へ発呼したとき、前記通信回線が当該の前記識別番号を該携帯電話機へ送信する識別番号送信処理と、前記携帯電話機が前記通信回線を介して前記識別番号を受信する識別番号受信処理と、前記位置情報提供手段が、前記携帯電話機から前記識別番号を電子メールとして受信し、前記データベースを検索して該識別番号に対応する前記公衆電話機の位置情報を読み出す位置情報検索処理と、前記位置情報提供手段が、読み出した前記位置情報を前記携帯電話機へ電子メールとして送信する位置情報送信処理とを行うことを特徴としている。
【００１８】
請求項５記載の発明は、請求項４記載の位置情報通知方法に係り、前記識別番号送信処理では、前記公衆電話機から前記識別番号の送信を指令するための送信指令用番号がダイヤルされたときにのみ、前記通信回線が前記識別番号を当該の携帯電話機へ送信することを特徴としている。
【００１９】
請求項６記載の発明は、請求項４又は５記載の位置情報通知方法に係り、前記位置情報送信処理では、前記公衆電話機の所定の位置情報として、当該公衆電話機周りの地図情報を送信することを特徴としている。
【００２０】
請求項７記載の発明は、位置情報通知制御プログラムに係り、コンピュータに請求項１乃至３のうちのいずれか一に記載の位置情報通知システムを制御させることを特徴としている。
【発明の効果】
【００２１】
この発明の構成によれば、携帯電話機を携行しているユーザが公衆電話機から発呼したとき、同公衆電話機の識別番号が通信回線から同携帯電話機を経て位置情報提供手段で受信され、同位置情報提供手段でデータベースが検索されて同識別番号に対応する公衆電話機の位置情報が読み出されるようにしたので、同携帯電話機にＧＰＳ装置などの測位手段が設けられていない場合でも、同ユーザは、自分の位置を認識できる。また各公衆電話機の位置情報は、当該公衆電話機周りの地図情報で構成されているので、ユーザは、自分の位置を認識できると共に周辺の地図情報を取得できる。また、この発明の位置情報通知システムは、携帯電話機のユーザ以外の第３者が待ち合わせなどで同携帯電話機のユーザに位置を伝える場合にも有効である。
【００２２】
また、通信回線は、公衆電話機から識別番号の送信を指令するための送信指令用番号がダイヤルされたときにのみ同識別番号を携帯電話機へ送信するので、同携帯電話機のユーザ以外の第３者が公衆電話機から同携帯電話機へ発呼したとき、同第３者が位置情報を同ユーザに知られたくない場合には、送信指令用番号をダイヤルしないようにすることにより、円滑に対応できる。
【発明を実施するための最良の形態】
【００２３】
公衆電話機を利用することにより、ＧＰＳ装置を有していない携帯電話機でユーザの位置情報を取得する。
【実施例１】
【００２４】
図１は、この発明の第１の実施例である位置情報通知システムの電気的構成を示すブロック図である。
この例の位置情報通知システムは、同図に示すように、公衆電話機１Ａ，１Ｂ，１Ｃと、通信回線２と、携帯電話機３と、位置情報提供装置４と、地図データベース５とから構成されている。公衆電話機１Ａ，１Ｂ，１Ｃは、街中に設置されているものであり、それぞれ識別番号が割り付けられ、特に、この実施例では、携帯電話機３へ発呼したとき、同識別番号を通信回線２を介して同携帯電話機３へ送信する。この場合、公衆電話機１Ａ，１Ｂ，１Ｃは、たとえばダイヤル開始時の携帯電話機の電話番号“０９０−ｘｘｘ−ｘｘｘ”を検出することにより、携帯電話機３へ発呼する場合のみ、同携帯電話機３に識別番号が残る構成になっている。
【００２５】
通信回線２は、図示しない無線基地局、加入者交換局、関門交換局、一般電話回線網などで構成されている。携帯電話機３は、公衆電話機１Ａ，１Ｂ，１Ｃから着呼したとき、当該の公衆電話機の識別番号を通信回線２を介して受信して保持すると共に、同識別番号を位置情報提供装置４へ電子メールで送信し、また、位置情報提供装置４から送信された当該の公衆電話機の位置情報を電子メールで受信して表示部に表示する。位置情報提供装置４は、たとえば、情報サービス会社などに設置されているコンピュータなどの情報処理装置であり、同装置４全体を制御するＣＰＵ（中央処理装置）４ａ及び同ＣＰＵ４ａを動作させるための位置情報通知制御プログラムが記録されたＲＯＭ（リード・オンリ・メモリ）４ｂを有している。特に、この実施例では、位置情報提供装置４には、公衆電話機１Ａ，１Ｂ，１Ｃの位置情報が各識別番号に対応して記憶されている地図データベース５が接続され、携帯電話機３から保持されている識別番号を受信し、同地図データベース５から同識別番号に対応する公衆電話機の位置情報を読み出して同携帯電話機３へ送信する。公衆電話機１Ａ，１Ｂ，１Ｃの位置情報は、当該の公衆電話機が属する所定エリアの地図情報で構成されている。
【００２６】
図２は、図１中の地図データベース５に記憶されている公衆電話機１Ａ，１Ｂ，１Ｃの位置情報の例を示す図である。
この地図データベース５では、同図２に示すように、たとえば、公衆電話機１Ａ，１Ｂ，１Ｃに対応して、識別番号“ｘｘｘ−ｘｘｘ−ｘｘｘｘ”，“ｘｘｘ−ｘｘｘ−ｙｙｙｙ”，“ｘｘｘ−ｘｘｘ−ｚｚｚｚ”がそれぞれ記憶され、また、位置情報として、地図座標（Ｘ１，Ｙ１），（Ｘ２，Ｙ２），（Ｘ３，Ｙ３）がそれぞれ記憶されている。
【００２７】
図３は、図１の位置情報通知システムの動作を説明するシーケンス図である。
この図を参照して、図１の位置情報通知システムに用いられる位置情報通知方法の処理内容について説明する。
この位置情報通知方法では、携帯電話機３を携行しているユーザがたとえば公衆電話機１Ａから同携帯電話機３へ発呼する例を説明する。
同ユーザにより公衆電話機１Ａから携帯電話機３へ発呼（ダイヤル開始）され（ステップＡ１）、このとき、携帯電話機の電話番号“０９０−ｘｘｘ−ｘｘｘ”が検出されて同公衆電話機１Ａの識別番号ａ１（すなわち、“ｘｘｘ−ｘｘｘ−ｘｘｘｘ”）が通信回線２へ送信されると共に、同公衆電話機１Ａと同携帯電話機３との間で通話情報ｂの送受信が行われる（ステップＡ２）。
【００２８】
識別番号ａ１は、通信回線２から携帯電話機３へ送信される（ステップＡ３、識別番号送信処理）。識別番号ａ１は、通信回線２を介して携帯電話機３で受信される（識別番号受信処理）。識別番号ａ１は、携帯電話機３から電子メールで送信され、位置情報提供装置４で受信される（ステップＡ４）。位置情報提供装置４では、地図データベース５が検索されて識別番号ａ１に対応する公衆電話機１Ａの位置情報が読み出される（ステップＡ５，Ａ６、位置情報検索処理）。位置情報提供装置４で読み出された位置情報として、公衆電話機１Ａの周辺の地図情報ｍが電子メールで携帯電話機３へ送信されて表示部に表示される（ステップＡ７、位置情報送信処理）。そして、携帯電話機３のユーザは、自分の位置を認識すると共に周辺の地図情報を取得する。
【００２９】
以上のように、この第１の実施例では、携帯電話機３を携行しているユーザが公衆電話機１Ａから発呼したとき、同公衆電話機１Ａの識別番号ａ１が通信回線２から携帯電話機３を経て位置情報提供装置４で受信され、同位置情報提供装置４で地図データベース５が検索されて識別番号ａ１に対応する公衆電話機１Ａの位置情報が読み出されるようにしたので、同携帯電話機３にＧＰＳ装置などの測位手段が設けられていない場合でも、同ユーザは、自分の位置を認識できると共に周辺の地図情報を取得できる。また、この実施例の位置情報通知システムは、携帯電話機３のユーザ以外の第３者が待ち合わせなどで同携帯電話機３のユーザに位置を伝える場合にも有効である。
【００３０】
上記第１の実施例では、識別番号送信処理（ステップＡ３）において、識別番号ａ１が通信回線２から携帯電話機３へ送信されるので、携帯電話機３のユーザ以外の第３者が公衆電話機１Ａから同携帯電話機３へ発呼したとき、同第３者が位置情報を同ユーザに知られたくない場合には、対応できないという問題点がある。この問題点を解決するものとして、次の第２の実施例に示すものがある。
【実施例２】
【００３１】
図４は、この発明の第２の実施例である位置情報通知システムの電気的構成を示すブロック図であり、第１の実施例を示す図１中の要素と共通の要素には共通の符号が付されている。
この例の位置情報通知システムでは、図１中の通信回線２に代えて、新たな機能が付加された通信回線２Ａが設けられている。
通信回線２Ａは、通信回線２の機能に加え、公衆電話機１Ａから識別番号ａ１の送信を指令するための送信指令用番号ｃ（たとえば、“＃ｘｘｘｘ”）がダイヤルされたときにのみ同識別番号ａ１を当該の携帯電話機へ送信する機能を有している。送信指令用番号ｃは、位置情報提供装置４を利用する契約時にあらかじめ決定されているものである。他は、図１と同様の構成である。
【００３２】
図５は、図４の位置情報通知システムの動作を説明するシーケンス図である。
この図を参照して、図４の位置情報通知システムに用いられる位置情報通知方法の処理内容について説明する。
この位置情報通知方法では、携帯電話機３のユーザ以外の第３者が公衆電話機１Ａから同携帯電話機３へ発呼する例を説明する。
同第３者により公衆電話機１Ａから携帯電話機３へ発呼（ダイヤル開始）され（ステップＢ１）、このとき、携帯電話機の電話番号“０９０−ｘｘｘ−ｘｘｘ”が検出されて同公衆電話機１Ａの識別番号ａ１（すなわち、“ｘｘｘ−ｘｘｘ−ｘｘｘｘ”）が通信回線２Ａへ送信されると共に、同公衆電話機１Ａと同携帯電話機３との間で通話情報ｂの送受信が行われる（ステップＢ２）。
【００３３】
第３者により公衆電話機１Ａから識別番号ａ１の送信を指令するための送信指令用番号ｃがダイヤルされたとき、識別番号ａ１は、通信回線２Ａから携帯電話機３へ送信される（ステップＢ３，Ｂ４、識別番号送信処理）。識別番号ａ１は、通信回線２Ａを介して携帯電話機３で受信される（識別番号受信処理）。識別番号ａ１は、携帯電話機３から電子メールで送信され、位置情報提供装置４で受信される（ステップＢ５）。位置情報提供装置４では、地図データベース５が検索されて識別番号ａ１に対応する公衆電話機１Ａの位置情報が読み出される（ステップＢ６，Ｂ７、位置情報検索処理）。位置情報提供装置４で読み出された位置情報として、公衆電話機１Ａの周辺の地図情報ｍが電子メールで携帯電話機３へ送信されて（ステップＢ８、位置情報送信処理）表示部に表示される。そして、携帯電話機３のユーザは、公衆電話機１Ａから発呼した第３者の位置を認識すると共に周辺の地図情報を取得する。
【００３４】
以上のように、この第２の実施例では、通信回線２Ａは、公衆電話機１Ａから識別番号ａ１の送信を指令するための送信指令用番号ｃがダイヤルされたときにのみ同識別番号ａ１を携帯電話機３へ送信するので、同携帯電話機３のユーザ以外の第３者が公衆電話機１Ａから同携帯電話機３へ発呼したとき、同第３者が位置情報を同ユーザに知られたくない場合には、送信指令用番号ｃをダイヤルしないようにすることにより、円滑に対応できる。
【００３５】
以上、この発明の実施例を図面により詳述してきたが、具体的な構成はこの実施例に限られるものではなく、この発明の要旨を逸脱しない範囲の設計の変更などがあっても、この発明に含まれる。
たとえば、地図データベース５の内容は、インターネットなどを介して地図情報供給会社などへ要求して受け取っても良い。また、携帯電話機３は、携帯電話機の機能を有するＰＤＡ（Personal Digital Assistants ）などでも良い。
【産業上の利用可能性】
【００３６】
この発明は、たとえば、タクシーの利用を希望するユーザが空車の来ない場所にいるとき、同ユーザが公衆電話機からタクシーの運転手の携帯電話機へ発呼すれば、同携帯電話機に同ユーザの位置情報が表示され、同運転手は同ユーザの位置が容易に把握できるため、有効に活用できる。ただし、この場合、公衆電話機の近辺に同携帯電話機の電話番号が表示されている必要がある。
【図面の簡単な説明】
【００３７】
【図１】この発明の第１の実施例である位置情報通知システムの電気的構成を示すブロック図である。
【図２】地図データベース５に記憶されている公衆電話機１Ａ，１Ｂ，１Ｃの位置情報の例を示す図である。
【図３】図１の位置情報通知システムの動作を説明するシーケンス図である。
【図４】この発明の第２の実施例である位置情報通知システムの電気的構成を示すブロック図である。
【図５】図４の位置情報通知システムの動作を説明するシーケンス図である。
【符号の説明】
【００３８】
１Ａ，１Ｂ，１Ｃ      公衆電話機
２，２Ａ      通信回線
３      携帯電話機
４      位置情報提供装置（位置情報提供手段）
５      地図データベース（データベース）
【図１】
2005151261.tif 000003
【図２】
2005151261.tif 000004
【図３】
2005151261.tif 000005
【図４】
2005151261.tif 000006
【図５】
2005151261.tif 000007